(57)【要約】【課題】ユーザが少ない操作で早くチャンネルの放送内容の確認を行うことができる情報表示システムを提供する。【解決手段】入力部１−２０からチャンネルを変更する信号を、例えば１度受信するとチャンネルが切り替わり、２度連続で受信するとチャンネルは切り替わらず指定されたチャンネルの詳細情報又はチャンネル情報を提示させる制御信号を出力する（入力制御部１−１１、出力制御部１−１５）。出力処理部１−１３は、前記出力制御部１−１５からの制御信号を入力とし、受信部１−３０で受信されたチャンネルの信号を信号処理部１−１２で処理した映像に関する情報と、蓄積部１−１４に蓄積された映像、音声以外の、チャンネルの詳細情報又はチャンネル情報とを統合して出力し、出力部１−４０にて表示する。【選択図】図１
2010258573.tif 000002
【特許請求の範囲】
【請求項１】
テレビジョンのチャンネルを指定する切り替え信号を入力とし、該入力される切り替え信号の入力形態を判別する入力形態判別手段と、
前記入力形態判別手段の判別結果に応じて、映像情報および映像、音声以外の情報を統合させる第１の指令と、前記切り替え信号により指定されたチャンネルに、受信チャンネルを切り替える第２の指令を発する入力制御手段と、
前記入力制御手段から発せられる第１の指令を入力とし、該第１の指令が入力されたときに前記映像情報および映像、音声以外の情報の統合実施の制御信号を出力し、前記第１の指令が入力されてから第１の設定時間経過後に前記統合を中止する制御信号を出力する出力制御手段と、
テレビジョン信号を受信し、前記入力制御手段から発せられる前記第２の指令を入力とし、該入力された第２の指令に基づく前記指定されたチャンネルに切り替える受信手段と、
前記受信手段により受信された信号を処理して映像情報を出力する信号処理手段と、
映像、音声以外の情報が登録された情報登録手段と、
前記出力制御手段からの制御信号を入力とし、該制御信号が統合実施の制御信号であるときは、前記信号処理手段から出力される映像情報と前記情報登録手段に登録された映像、音声以外の情報を統合して出力し、前記制御信号が統合中止の制御信号であるときは、前記信号処理手段から出力される映像情報のみを出力する出力処理手段と、
前記出力処理手段から出力される情報を受信し表示する出力手段と、
を備えたことを特徴とする情報表示システム。
【請求項２】
前記入力制御手段は、前記入力形態判別手段が、第２の設定時間内に同一チャンネルを指定する切り替え信号が複数回入力されたと判別した場合に前記第１の指令を発し、前記第２の設定時間経過後に切り替え信号が入力されたと判別した場合に前記第１の指令および第２の指令を発することを特徴とする請求項１に記載の情報表示システム。
【請求項３】
前記入力制御手段は、前記入力形態判別手段が、第２の設定時間内に同一チャンネルを指定する切り替え信号が複数回入力されたと判別した場合に前記第１の指令および第２の指令を発し、前記第２の設定時間経過後に切り替え信号が入力されたと判別した場合に前記第１の指令を発することを特徴とする請求項１に記載の情報表示システム。
【請求項４】
前記情報登録手段に登録された映像、音声以外の情報は、チャンネル、番組に関連する詳細情報、チャンネル情報であり、前記出力処理手段が統合する映像、音声以外の情報は、前記詳細情報又はチャンネル情報のうち少なくともいずれか１つであることを特徴とする請求項１ないし３のうちいずれか１項に記載の情報表示システム。
【請求項５】
入力形態判別手段が、テレビジョンのチャンネルを指定する切り替え信号を入力し、該入力された切り替え信号の入力形態を判別する入力形態判別ステップと、
入力制御手段が、前記入力形態判別手段の判別結果に応じて、映像情報および映像、音声以外の情報を統合させる第１の指令と、前記切り替え信号により指定されたチャンネルに、受信チャンネルを切り替える第２の指令を発する入力制御ステップと、
出力制御手段が、前記入力制御手段から発せられる第１の指令を入力したときに、前記映像情報および映像、音声以外の情報の統合実施の制御信号を出力するステップと、
出力制御手段が、前記第１の指令が入力されてから第１の設定時間経過後に前記統合を中止する制御信号を出力するステップと、
テレビジョン信号を受信する受信手段が、前記入力制御手段から発せられる前記第２の指令を入力したときに、第２の指令に基づく前記指定されたチャンネルに切り替えるステップと、
信号処理手段が、前記受信手段により受信された信号を処理して映像情報を出力する信号処理ステップと、
出力処理手段が、前記出力制御手段から統合実施の制御信号を入力したときに、前記信号処理手段から出力される映像情報と情報登録手段に登録された映像、音声以外の情報を統合して出力するステップと、
出力処理手段が、前記出力制御手段から統合中止の制御信号を入力したときに、前記信号処理手段から出力される映像情報のみを出力するステップと、
出力手段が、前記出力処理手段から出力される情報を受信し表示する出力ステップと、
を備えたことを特徴とする情報表示方法。
【請求項６】
前記入力制御ステップは、前記入力形態判別手段が、第２の設定時間内に同一チャンネルを指定する切り替え信号が複数回入力されたと判別した場合に前記第１の指令を発し、前記第２の設定時間経過後に切り替え信号が入力されたと判別した場合に前記第１の指令および第２の指令を発することを特徴とする請求項５に記載の情報表示方法。
【請求項７】
前記入力制御ステップは、前記入力形態判別手段が、第２の設定時間内に同一チャンネルを指定する切り替え信号が複数回入力されたと判別した場合に前記第１の指令および第２の指令を発し、前記第２の設定時間経過後に切り替え信号が入力されたと判別した場合に前記第１の指令を発することを特徴とする請求項５に記載の情報表示方法。
【請求項８】
コンピュータを請求項１ないし４のうちいずれか１項に記載の各手段として機能させる情報表示プログラム。
【発明の詳細な説明】
【技術分野】
【０００１】
本発明は、同一の信号の連続入力の有無によって、画面に表示する内容を変化させる機能を有する、映像表示システムに関する。
【背景技術】
【０００２】
地上波デジタル放送やＩＰＴＶといったサービスの開始・普及により、ＴＶのチャンネル変換に要する時間はこれまでのアナログ放送時と比べ長くなってきており、ユーザのチャンネル変換時の心理的負荷は大きくなっている。
【０００３】
このチャンネル変換の画面遷移の際に、現在表示しているコンテンツと目的のコンテンツの間に中間コンテンツを挿入するという技術がある（特許文献１参照）。この技術は、遷移の際、現在見ているＷｅｂページやチャンネルに限定した情報を、中間コンテンツとして表示させる技術であり、中間コンテンツを挿入することによってユーザの心理的負荷は軽減する。
【先行技術文献】
【特許文献】
【０００４】
【特許文献１】特開２００５−００４４７９号公報
【発明の概要】
【発明が解決しようとする課題】
【０００５】
各チャンネルで何が放送されているのかということを知るために、チャンネルザッピングという、実際にチャンネルを次々と変更する方法がとられることがある。しかし、現在ＩＰＴＶや地上波デジタル放送が普及してきた現在、アナログ放送時と比べ映像の確認に要する時間は長くなっており、ザッピングを行う際の心理的負荷は大きい。
【０００６】
また、放送内容を知るためには、電子番組表などを用いて各チャンネルで放送されている番組に関する文字情報を確認する方法もある。しかし文字情報の確認も、詳細な情報にたどり着くまでのステップ数が必要であることから、ユーザへの負担は少なくない。
【０００７】
本発明は上記課題を解決するものであり、その目的は、ユーザが各チャンネルへの放送内容を把握するためのシステムであり、少ない操作で早くチャンネルの放送内容の確認を行う機能を有する情報表示システム、方法、プログラムを提供することにある。
【課題を解決するための手段】
【０００８】
本発明の情報表示システムは、テレビジョンのチャンネルを指定する切り替え信号を入力とし、該入力される切り替え信号の入力形態を判別する入力形態判別手段と、前記入力形態判別手段の判別結果に応じて、映像情報および映像、音声以外の情報を統合させる第１の指令と、前記切り替え信号により指定されたチャンネルに、受信チャンネルを切り替える第２の指令を発する入力制御手段と、前記入力制御手段から発せられる第１の指令を入力とし、該第１の指令が入力されたときに前記映像情報および映像、音声以外の情報の統合実施の制御信号を出力し、前記第１の指令が入力されてから第１の設定時間経過後に前記統合を中止する制御信号を出力する出力制御手段と、テレビジョン信号を受信し、前記入力制御手段から発せられる前記第２の指令を入力とし、該入力された第２の指令に基づく前記指定されたチャンネルに切り替える受信手段と、前記受信手段により受信された信号を処理して映像情報を出力する信号処理手段と、映像、音声以外の情報が登録された情報登録手段と、前記出力制御手段からの制御信号を入力とし、該制御信号が統合実施の制御信号であるときは、前記信号処理手段から出力される映像情報と前記情報登録手段に登録された映像、音声以外の情報を統合して出力し、前記制御信号が統合中止の制御信号であるときは、前記信号処理手段から出力される映像情報のみを出力する出力処理手段と、前記出力処理手段から出力される情報を受信し表示する出力手段と、を備えたことを特徴としている。
【０００９】
上記構成によれば、ザッピングのように少ない動作によって各チャンネルの詳細な情報を表示することができることから、各チャンネルの放送内容を、少ない動作、少ない時間で把握することができる。
【発明の効果】
【００１０】
請求項１〜８に記載の発明によれば、入力されるチャンネルの切り替え信号の種類（入力形態）を判断し、それにより表示する情報を制御しているので、通常のチャンネル変更のような操作でユーザが必要としている情報を得ることができる。これにより、チャンネルの映像の表示を待つことなく、またチャンネル変更のような簡単な操作で、各チャンネルの放送内容を効率的に把握することができる。
【図面の簡単な説明】
【００１１】
【図１】本発明の実施例１の情報表示システムの構成を示すブロック図。
【図２】本発明で統合表示されるチャンネルデータの一例を示す説明図。
【図３】本発明の実施例１の情報表示システムにおける全体の動作を表すフローチャート。
【図４】本発明の実施例１の情報表示システムにおける要部の動作を表すフローチャート。
【図５】本発明を適用して、チャンネル１の映像とチャンネル３の詳細情報を統合表示する出力例を示す説明図。
【図６】本発明の実施例２の情報表示システムの構成を示すブロック図。
【図７】本発明の実施例２の情報表示システムにおける全体の動作を表すフローチャート。
【図８】本発明の実施例２の情報表示システムにおける要部の動作を表すフローチャート。
【発明を実施するための形態】
【００１２】
以下、図面を参照しながら本発明の実施の形態を説明するが、本発明は下記の実施形態例に限定されるものではない。
【実施例１】
【００１３】
第１の実施例について説明する。第１の実施例は本発明の情報表示システムをＴＶに組み込み、多チャンネルデジタル放送を受信、表示する例である。第１の実施例では、チャンネルを変更する信号を１度送信するとチャンネルが切り替わり、２度連続で送信すると、チャンネルは切り替わらず指定されたチャンネルの詳細情報が提示される例である。本実施例における情報表示システム１−１０は図１のように構成される。
【００１４】
図１において、１−２０はテレビジョンのチャンネルを指定する切り替え信号を出力する、例えばテレビのリモコンから成る入力部である。
【００１５】
１−３０は、テレビジョン信号を受信する受信手段としての受信部である。
【００１６】
１−４０は、例えばＴＶディスプレイから成る出力部である。
【００１７】
１−１１は入力形態判別手段および入力制御手段として機能する入力制御部、１−１２は信号処理手段として機能する信号処理部、１−１３は出力処理手段として機能する出力処理部、１−１４は情報登録手段としての蓄積部、１−１５は出力制御手段として機能する出力制御部である。
【００１８】
前記入力制御部１−１１、信号処理部１−１２、出力処理部１−１３、蓄積部１−１４および出力制御部１−１５の、後述する各機能は、例えばコンピュータによって達成される。
【００１９】
入力制御部１−１１は、実施例１においては入力部１−２０からの入力（切り替え信号）を受信し、入力を記憶、入力の種類（切り替え信号の入力形態）を判断する制御部であり、時間の計測を行う。
【００２０】
すなわち、チャンネルを指定する切り替え信号を受信すると、例えば０．３秒（第２の設定時間）の経過、受信した切り替え信号と同一の信号の受信、受信した切り替え信号とは異なる信号の受信、のいずれのイベントが生じたかを判断する。また、出力制御部１−１５及び受信部１−３０に切り替え信号の送信、出力制御部１−１５に二重切り替え信号の送信を行う。
【００２１】
尚本実施例１においては、入力制御部１−１１から出力制御部１−１５に送信される切り替え信号および二重切り替え信号が、本発明の映像情報および映像、音声以外の情報を統合させる第１の指令であり、入力制御部１−１１から受信部１−３０に送信される切り替え信号が、本発明の受信チャンネルを切り替える第２の指令である。
【００２２】
受信部１−３０は、入力制御部１−１１からの切り替え信号（第２の指令）を受信すると、信号に従ったチャンネルを受信し、信号処理部１−１２に送信する。
【００２３】
信号処理部１−１２は、受信部１−３０が受信した信号を、出力可能な形に処理し、出力処理部１−１３に映像、音声に関する情報を送信する。また、蓄積部１−１４に映像、音声に関する情報以外の情報を送信する。
【００２４】
したがって、実施例１において蓄積部１−１４は、信号処理部１−１２から受信した情報を例えば図２のように蓄積している。蓄積部１−１４に蓄積される映像、音声以外の情報は、チャンネル、番組に関連する詳細情報、チャンネル情報である。
【００２５】
チャンネル情報とは、チャンネルの名前、チャンネル番号、現在放送されている番組の名前と放送時間から構成される。また詳細情報は、チャンネルの名前、チャンネル番号、現在放送されている番組の名前、放送時間、出演者、番組ジャンル、番組紹介からなる。
【００２６】
出力処理部１−１３は、出力制御部１−１５からの制御信号に従い、情報を出力部１−４０に出力する。出力制御部１−１５から詳細情報表示信号（統合実施の制御信号）を受信したとき、指定されたチャンネルの詳細情報を蓄積部１−１４に問い合わせ、その情報と、信号処理部１−１２からの映像情報を統合処理し、出力部１−４０に送信する。
【００２７】
また出力制御部１−１５からチャンネル情報表示信号（統合実施の制御信号）を受信したとき、指定されたチャンネルのチャンネル情報を蓄積部１−１４に問い合わせ、その情報と、信号処理部１−１２からの映像情報を統合処理し、出力部１−４０に送信する。
【００２８】
また出力制御部１−１５から情報非表示信号（統合中止の制御信号）を受信したとき、統合処理を中止し、信号処理部１−１２からの映像情報のみ出力部１−４０に送信する。
【００２９】
蓄積部１−１４は、出力処理部１−１３からの問い合わせに従って情報を出力処理部１−１３に送信する。
【００３０】
出力制御部１−１５は、入力制御部１−１１から受信した信号（第１の指令、すなわち切り替え信号、二重切り替え信号）に従い出力を制御する信号（統合実施の制御信号、すなわち詳細情報表示信号、チャンネル情報表示信号、および統合中止の制御信号、すなわち情報非表示信号）を出力処理部１−１３に送信する。また、時間の計測をしており、入力制御部１−１１からの信号を受信すると計測がリセット（終了、開始）される。入力制御部１−１１から二重切り替え信号を受信すると、受信されている映像と詳細情報を統合して表示するよう、出力処理部１−１３に詳細情報表示信号を送信する。入力制御部１−１１から切り替え信号を受信した場合、受信されている映像とチャンネル情報を統合して表示するよう、出力処理部１−１３にチャンネル情報表示信号を送信する。入力制御部１−１１からの信号を例えば５秒（第１の設定時間）以上受信しないと、出力処理部１−１３に、表示している情報（詳細情報又はチャンネル情報）を表示しないよう、情報非表示信号を送信する。
【００３１】
出力部１−４０は、出力処理部１−１３から信号を受信し、表示をする。
【００３２】
図３、図４は、実施例１の情報表示システムの動作フローチャートである。本実施例の情報表示システムの動作を、図３、図４を使って説明する。
【００３３】
尚、以下の図３、図４、図７、図８における２−１〜２−１８、４−１〜４−１９は、各動作のステップを示している。
【００３４】
まず図３において、ステップ２−１では、入力の待機をしている。  
【００３５】
ステップ２−２では、入力制御部１−１１が入力部１−２０からの切り替え信号の入力の有無を判断し、入力があると（ＹＥＳ）、ステップ２−３に進み、ないと（ＮＯ）、ステップ２−２に戻りループする。入力された切り替え信号は入力制御部１−１１に記憶される。
【００３６】
ステップ２−３はステップ２−２で入力があった場合であり、入力制御部１−１１で行われていた時間計測をリセット（終了、開始）する。
【００３７】
ステップ２−４で、入力制御部１−１１が、ステップ２−２で入力された切り替え信号と異なる信号の入力、同じ信号の入力、０．３秒の経過、の中でいずれのイベントが生じたかの判断を行う。３つのイベントのうち、最も早く切り替え信号と異なる信号が入力された場合（異なる信号の入力）、ステップ２−３に戻る。最も早く切り替え信号と同じ信号が入力された場合（同一信号の入力）、ステップ２−５に進む。また、信号の入力のないまま０．３秒が経過すると、ステップ２−９に進む。
【００３８】
ステップ２−５は、０．３秒経過前にステップ２−２で入力された切り替え信号と同一の信号の入力があった場合であり、入力制御部１−１１は、出力制御部１−１５に二重切り替え信号（第１の指令）を送信する。
【００３９】
ステップ２−６では、出力制御部１−１５が入力制御部１−１１からの入力（二重切り替え信号の入力）に伴い、行われていた時間計測をリセット（終了、開始）する。
【００４０】
ステップ２−７では、出力制御部１−１５が、出力処理部１−１３に詳細情報表示信号を送信する。
【００４１】
ステップ２−８では、出力処理部１−１３は、出力制御部１−１５から受信した詳細情報表示信号に従い、指定されたチャンネルの詳細情報を蓄積部１−１４に問い合わせ、それと受信部１−３０で受信し信号処理部１−１２で処理されている映像情報との統合処理を行う。
【００４２】
ステップ２−９は、入力制御部１−１１に新たな信号の受信がないまま０．３秒経過した場合であり、入力制御部１−１１は受信部１−３０と出力制御部１−１５に切り替え信号を送信する（本実施例においては出力制御部１−１５に送信される切り替え信号が第１の指令であり、受信部１−３０に送信される切り替え信号が第２の指令である）。
【００４３】
ステップ２−１０では、受信部１−３０が前記切り替え信号に従ったチャンネルの受信を行い、信号処理部１−１２に送信し、信号処理部１−１２が処理を行う。
【００４４】
ステップ２−１１は、出力制御部１−１５が入力制御部１−１１からの入力（切り替え信号の入力）に伴い時間計測をリセット（終了、開始）する。
【００４５】
ステップ２−１２では、出力制御部１−１５が出力処理部１−１３にチャンネル情報表示信号を送信する。
【００４６】
ステップ２−１３では、出力処理部１−１３は、出力制御部１−１５から受信したチャンネル情報表示信号に従い、指定されたチャンネルのチャンネル情報を蓄積部１−１４に問い合わせ、それと受信部１−３０で受信し信号処理部１−１２で処理されている映像情報との統合処理を行う。
【００４７】
ステップ２−１４では、出力処理部１−１３からの信号に従い出力部１−４０が映像を例えば図５のように出力する。図５はチャンネル１の映像とチャンネル３の詳細情報を統合表示する例を示している。
【００４８】
図４は図３のステップ２−６、ステップ２−１１から各々スタートするフローチャートである。
【００４９】
ステップ２−１５では、出力制御部１−１５が、入力制御部１−１１から信号（第１の指令、すなわちステップ２−６であれば二重切り替え信号、ステップ２−１１であれば切り替え信号）を受信し時間の計測を開始してから５秒（第１の設定時間）が経過したかどうかの判断を行う。５秒が経過していれば（ＹＥＳ）、ステップ２−１６に進み、していなければ（ＮＯ）、ステップ２−１５に戻る。
【００５０】
ステップ２−１６では、出力制御部１−１５が出力処理部１−１３に情報非表示信号（統合中止の制御信号）を送信する。
【００５１】
ステップ２−１７では、出力処理部１−１３が、信号処理部１−１２からの映像情報と蓄積部１−１４からの情報とを結合するのを中止する。
【００５２】
ステップ２−１８では、  出力処理部１−１３からの信号に従い出力部１−４０が映像を出力する。
【００５３】
次に、たとえばチャンネル１が提示されているときに、チャンネル３に対応する「３」をリモコン（入力部１−２０）で押下し、押下してから０．３秒以内に再び「３」を押下し、次にチャンネル５に対応する「５」が押下され、そのまま信号入力がなかった場合を考える。
【００５４】
ステップ２−１で入力待機され、前記「３」の信号が受信されると、ステップ２−２で入力制御部１−１１が、入力があったと判断し、ステップ２−３で入力制御部１−１１での時間の計測がリセット（終了、開始）される。
【００５５】
ステップ２−４では入力制御部１−１１が、ステップ２−２で入力された「３」とは異なる信号の入力、「３」の信号の入力、０．３秒の経過、のいずれが最も先に生じるかの判断を行う。０．３秒以内に前記「３」が再び入力されると、「同一信号入力」と判断されステップ２−５に進み、入力制御部１−１１が出力制御部１−１５に二重切り替え信号を送信する。
【００５６】
ステップ２−６では出力制御部１−１５が時間計測をリセット（終了、開始）する。
【００５７】
ステップ２−７では出力制御部１−１５から出力処理部１−１３に、現在受信しているチャンネル１の映像の上に、チャンネル３の詳細情報を表示するよう、詳細情報表示信号を送信する。
【００５８】
ステップ２−８では出力処理部１−１３がチャンネル３の詳細情報を蓄積部１−１４に問い合わせ、得た情報と映像を統合する。そしてステップ２−１４で、出力処理部１−１３は出力部１−４０に統合した映像情報を送信し、出力部１−４０には、チャンネル１の映像とチャンネル３の詳細情報が同時に提示される。
【００５９】
次にステップ２−１に戻り、チャンネル５に対応する「５」が押下されると、ステップ２−２では入力があったとしてステップ２−３に進み、ステップ２−３で入力制御部１−１１での時間の計測がリセット（終了、開始）される。０．３秒以内に信号の入力がないと、ステップ２−４では「０．３秒経過」としてステップ２−９に進む。
【００６０】
ステップ２−９では入力制御部１−１１が受信部１−３０及び出力制御部１−１５に切り替え信号を送信する。
【００６１】
ステップ２−１０では受信部１−３０が切り替え信号によってチャンネル５を受信し、信号処理部１−１２に送信、処理される。
【００６２】
ステップ２−１１では出力制御部１−１５における時間計測をリセット（終了、開始）する。
【００６３】
ステップ２−１２では出力制御部１−１５が、受信しているチャンネル５の映像の上にチャンネル５のチャンネル情報を表示するよう、チャンネル情報表示信号を出力処理部１−１３に送信し、ステップ２−１３では出力処理部１−１３が蓄積部１−１４にチャンネル５のチャンネル情報を問い合わせ、映像情報と統合する。そしてステップ２−１４で出力する。
【００６４】
また出力制御部１−１５の時間計測が開始してから５秒が経過すると、図４のステップ２−１５で５秒経過としてステップ２−１６に進み、出力制御部１−１５が出力処理部１−１３に、現在表示しているチャンネル５のチャンネル情報の表示をやめ、チャンネル５の映像のみ表示するよう、情報非表示信号を送信する。
【００６５】
ステップ２−１７では出力処理部１−１３が統合を中止し、ステップ２−１８でチャンネル５の映像のみが出力される。
【００６６】
尚実施例１は、多チャンネルデジタル放送である例としたが、ＩＰＴＶや地上波デジタル放送でも良い。これは以下の実施例でも同様である。
【００６７】
また、情報表示システムをＴＶに組み込んだ例としたが、ＳＴＢ（Ｓｅｔ  Ｔｏｐ  Ｂｏｘ）などの制御装置でも良い。これは以下の実施例でも同様である。
【００６８】
前記入力部１−２０はテレビのリモコンとしたが、キーボードやソフトキーボードやソフトリモコンといったソフトコントローラー、ハード機器に付随するボタンなどでも良い。これは以下の実施例でも同様である。
【００６９】
前記入力制御部１−１１では、０．３秒（第２の設定時間）以内に切り替え信号と同じ信号が入力されたか否かを判断するとしたが、０．３秒でなくても良い。これは以下の実施例でも同様である。
【００７０】
また、切り替え信号と同じ信号が０．３秒以内に入力されたか否か、つまり同じ信号が２回連続で受信されたかどうかが判断されるとしたが、この回数は２回でなく３回以上でも良い。これは以下の実施例でも同様である。
【００７１】
前記出力部１−４０は、ＴＶディスプレイとしたが、ＰＣ画面やディスプレイなどの画面表示装置でも良い。これは以下の実施例でも同様である。
【００７２】
図２で取得する情報の例を示したが、取得されるのは図２の例に限らず、チャンネルで表示される映像等に関する情報であればよい。これは以下の実施例でも同様である。
【００７３】
前記出力処理部１−１３が出力処理するチャンネル情報は、チャンネルの名前、チャンネル番号、現在放送されている番組の名前と放送時間から構成されるとしたが、これに限らず、たとえばチャンネル名の番組の名前のみでも良いし、直後の番組名を表示しても良い。これは以下の実施例も同様である。
【００７４】
また、前記入力制御部１−１１からの最後の信号から５秒（第１の設定時間）が経過したかどうかの判断を行うとしたが、時間は５秒でなくても良い。また経過時間の判断開始が、入力制御部１−１１からの最後の信号からでなくても、たとえば映像が表示されてからや情報が表示されてからなどでも良い。すなわち例えば、出力処理部１−１３から、統合された映像が出力されてから経過時間判断を開始しても良い。これは以下の実施例でも同様である。
【００７５】
前記詳細情報は、チャンネルの名前、チャンネル番号、現在放送されている番組の名前、放送時間、出演者、番組ジャンル、番組紹介からなるとしたが、これに限らない。表示されないものがあっても良く、また他に、チャンネルや現在放映されている番組の関連情報を表示させるなどしても良い。これは以下の実施例も同様である。
【００７６】
前記入力部１−２０から入力されるチャンネルを指定する切り替え信号は実施例１では１信号としたが、たとえば３桁からなる切り替え信号など、チャンネルを指定する信号は多数の信号から構成されていてもかまわない。この場合、二重切り替え信号の送信は、たとえば切り替え信号群が入力終了されてから、０．３秒以内に最後の信号と同じ信号が入力されたとき、などで判断する。また、チャンネル番号の直接指定でなくても、チャンネル上下ボタンなど、チャンネルを指定できるような信号であれば良い。この場合、チャンネルを指定することのできる連続した信号の入力に引き続き、その最後の信号と同じ入力がなされた場合、となる。つまり、チャンネル上下ボタンであれば、上下ボタンの０．３秒以内での２回の押下の有無が判断される。これは以下の実施例でも同様である。
【００７７】
また、切り替え信号と同一の信号が入力されないまま０．３秒が経過した場合、ステップ２−１３でチャンネルの映像と統合されたチャンネル情報が提示されるとしたが、蓄積部１−１４から得られる情報はチャンネル情報ではなく、詳細情報でも良い。またチャンネル番号、チャンネル名、放映されている番組名などでも良い。また、信号処理部１−１２で処理され蓄積部１−１４に蓄積された情報を表示しなくても良い。つまり、表示される情報を各ユーザが事前に選択、登録しておくものでも良い。これは以下の実施例でも同様である。
【００７８】
前記ステップ２−１４で図５のように、映像と詳細情報が統合され表示されるとしたが、表示方法は図５に限らない。映像を小さくし、画面に詳細情報を表示しても良いし、映像の上から詳細情報を表示するなどしても良い。映像とチャンネル情報を提示するときも同様である。表示される情報は各ユーザが事前に選択、登録をするものでも良い。これは以下の実施例でも同様である。
【実施例２】
【００７９】
第２の実施例について説明する。第２の実施例は、本発明の情報表示システムを、地上波デジタル放送を受像するＴＶに組み込んだ例である。第２の実施例では、チャンネルを指定する信号を１度送信するとチャンネルは切り替わらず、指定したチャンネルの詳細情報が画面に表示され、２度連続で送信すると、チャンネルが切り替わる例である。
【００８０】
本実施例における情報表示システム３−１０は、図６のように構成される。
【００８１】
図６において、３−２０はテレビジョンのチャンネルを指定する切り替え信号を出力する、例えばテレビのリモコンから成る入力部である。
【００８２】
３−３０は、テレビジョン信号を受信する受信手段としての受信部である。
【００８３】
３−４０は、例えばＴＶディスプレイから成る出力部である。
【００８４】
３−１１は入力形態判別手段および入力制御手段として機能する入力制御部、３−１２は信号処理手段として機能する信号処理部、３−１３は出力処理手段として機能する出力処理部、３−１４は情報登録手段としての蓄積部、３−１５は出力制御手段として機能する出力制御部である。
【００８５】
前記入力制御部３−１１、信号処理部３−１２、出力処理部３−１３、蓄積部３−１４および出力制御部３−１５の、後述する各機能は、例えばコンピュータによって達成される。
【００８６】
入力制御部３−１１は、実施例２においては入力部３−２０からの入力（切り替え信号）を受信し、入力を記憶、入力の種類（切り替え信号の入力形態）を判断する制御部であり、時間の計測を行う。チャンネルを指定する切り替え信号を受信すると、例えば０．７秒（第２の設定時間）の経過、受信した切り替え信号と同一の信号の受信、受信した切り替え信号とは異なる信号の受信、のいずれのイベントが生じたかを判断する。受信した切り替え信号と同一の信号を０．７秒以内に受信したと判断すると、受信部３−３０及び出力制御部３−１５に二重切り替え信号を送信する。また、入力部３−２０からの入力により時間の計測をリセット（終了、開始）したら出力制御部３−１５に切り替え信号を送信する。
【００８７】
尚本実施例２においては、入力制御部３−１１から出力制御部３−１５に送信される切り替え信号および二重切り替え信号が、本発明の映像情報および映像、音声以外の情報を統合させる第１の指令であり、入力制御部３−１１から受信部３−３０に送信される二重切り替え信号が、本発明の受信チャンネルを切り替える第２の指令である。
【００８８】
受信部３−３０は、入力制御部３−１１からの二重切り替え信号（第２の指令）を受信すると、信号に従ったチャンネルを受信、信号処理部３−１２に送信する。
【００８９】
信号処理部３−１２は、受信部３−３０が受信した信号を、出力可能な形に処理し、出力処理部３−１３に映像、音声に関する情報を送信する。また、蓄積部３−１４に映像、音声に関する情報以外の情報を送信する。
【００９０】
したがって、実施例２において蓄積部３−１４は、信号処理部３−１２から受信した情報を例えば図２のように蓄積している。蓄積部３−１４に蓄積される映像、音声以外の情報は、チャンネル、番組に関連する詳細情報、チャンネル情報である。
【００９１】
チャンネル情報とは、チャンネルの名前、チャンネル番号、現在放送されている番組の名前と放送時間から構成される。また詳細情報は、チャンネルの名前、チャンネル番号、現在放送されている番組の名前、放送時間、出演者、番組ジャンル、番組紹介からなる。
【００９２】
出力処理部３−１３は、出力制御部３−１５からの信号に従い、情報を出力部３−４０に出力する。出力制御部３−１５から詳細情報表示信号（統合実施の制御信号）を受信したとき、指定されたチャンネルの詳細情報を蓄積部３−１４に問い合わせ、その情報と、信号処理部３−１２からの映像情報を統合処理し、出力部３−４０に送信する。
【００９３】
また出力制御部３−１５からチャンネル情報表示信号（統合実施の制御信号）を受信したとき、指定されたチャンネルのチャンネル情報を蓄積部３−１４に問い合わせ、その情報と、信号処理部３−１２からの映像情報を統合処理し、出力部３−４０に送信する。
【００９４】
また出力制御部３−１５から情報非表示信号（統合中止の制御信号）を受信したとき、統合処理を中止し、信号処理部３−１２からの映像情報のみを出力部３−４０に送信する。
【００９５】
また、出力制御部３−１５からチャンネル情報表示信号、詳細情報表示信号を受信したとき、前の処理が終了していなかった場合、その処理を終了する。
【００９６】
蓄積部３−１４は、信号処理部３−１２から受信した情報を蓄積し、出力処理部３−１３からの問い合わせに従い情報を出力処理部３−１３に送信する。
【００９７】
出力制御部３−１５は、入力制御部３−１１から受信した信号（第１の指令）に従い出力を制御する信号（統合実施の制御信号、すなわち詳細情報表示信号、チャンネル情報表示信号、および統合中止の制御信号、すなわち情報非表示信号）を出力処理部３−１３に送信する。また、時間の計測をしており、入力制御部３−１１からの信号を受信すると計測がリセット（終了、開始）される。
【００９８】
入力制御部３−１１から切り替え信号を受信すると、受信されている映像と詳細情報を統合して表示するよう、出力処理部３−１３に詳細情報表示信号を送信する。
【００９９】
また入力制御部３−１１から二重切り替え信号を受信した場合、受信されている映像とチャンネル情報を統合して表示するよう、出力処理部３−１３にチャンネル情報表示信号を送信する。
【０１００】
また入力制御部３−１１からの信号を例えば５秒（第１の設定時間）以上受信しないと、出力処理部３−１３に、表示している情報（詳細情報又はチャンネル情報）を表示しないよう、情報非表示信号を送信する。
【０１０１】
出力部３−４０は、出力処理部３−１３から信号を受信し、表示をする。
【０１０２】
図７、図８は、実施例２の情報表示システムの動作フローチャートである。本実施例の情報表示システムの動作を、図７、図８を使って説明する。まず図７において、ステップ４−１では、入力の待機をしている。
【０１０３】
ステップ４−２では、入力制御部３−１１が入力部３−２０からの入力の有無を判断し、入力があると（ＹＥＳ）、ステップ４−３に進み、入力がないと（ＮＯ）、ステップ４−２に戻りループする。
【０１０４】
ステップ４−３はステップ４−２で入力があった場合であり、入力制御部３−１１で行われていた時間計測がリセット（終了、開始）される。
【０１０５】
ステップ４−４からステップ４−８の処理は、ステップ４−９からの処理と並行して行われる。ステップ４−４では入力制御部３−１１は、出力制御部３−１５に切り替え信号（第１の指令）を送信する。
【０１０６】
ステップ４−５では、入力制御部３−１１からの入力に伴い出力制御部３−１５での時間計測をリセット（終了、開始）する。
【０１０７】
ステップ４−６では出力制御部３−１５が出力処理部３−１３に詳細情報表示信号を送信する。
【０１０８】
ステップ４−７では、出力処理部３−１３は、出力制御部３−１５から受信した詳細情報表示信号に従い、指定されたチャンネルの詳細情報を蓄積部３−１４に問い合わせ、それと受信部３−３０で受信し信号処理部３−１２で処理されている映像情報との統合処理を行う。
【０１０９】
ステップ４−８では、出力処理部３−１３は統合した情報を出力部３−４０に送信し、出力する。
【０１１０】
ステップ４−９では、入力制御部３−１１が、ステップ４−２で入力された切り替え信号と異なる信号の入力、同じ信号の入力、０．７秒の経過、の中でいずれのイベントが生じたかの判断を行う。３つのイベントのうち、最も早く切り替え信号と異なる信号が入力された場合（異なる信号の入力）、ステップ４−３に戻る。最も早く切り替え信号と同じ信号が入力された場合（同一信号の入力）、ステップ４−１０に進む。また、信号の入力のないまま０．７秒が経過すると、ステップ４−１に戻る。
【０１１１】
ステップ４−１０は、入力制御部３−１１が「切り替え信号と同一の信号が切り替え信号受信から０．７秒以内」に受信されたと判断した場合であり、入力制御部３−１１は受信部３−３０と出力制御部３−１５に二重切り替え信号を送信する。
【０１１２】
ステップ４−１１では、受信部３−３０が二重切り替え信号に従ったチャンネルの受信を行い、信号処理部３−１２に送信し、信号処理部３−１２が処理を行う。
【０１１３】
ステップ４−１２は、出力制御部３−１５が入力制御部３−１１からの入力に伴い、行っていた時間計測をリセット（終了、開始）する。
【０１１４】
ステップ４−１３では出力制御部３−１５が出力処理部３−１３にチャンネル情報表示信号を送信する。
【０１１５】
ステップ４−１４では、出力処理部３−１３は、出力制御部３−１５から受信したチャンネル情報表示信号に従い、指定されたチャンネルのチャンネル情報を蓄積部３−１４に問い合わせ、それと受信部３−３０で受信し信号処理部３−１２で処理されている映像情報との統合処理を行う。
【０１１６】
ステップ４−１５では、出力処理部３−１３が統合した情報を出力部３−４０に送信し、出力する。
【０１１７】
図８は図７のステップ４−５、ステップ４−１２から各々スタートするフローチャートである。
【０１１８】
ステップ４−１６では、出力制御部３−１５が、入力制御部３−１１から信号（第１の指令、すなわちステップ４−５であれば切り替え信号、ステップ４−１２であれば二重切り替え信号）を受信し時間の計測を開始してから５秒（第１の設定時間）が経過したかどうかの判断を行う。５秒が経過していれば（ＹＥＳ）、ステップ４−１７に進み、していなければ（ＮＯ）、ステップ４−１６に戻る。
【０１１９】
ステップ４−１７では、出力制御部３−１５が出力処理部３−１１に情報非表示信号（統合中止の制御信号）を送信する。
【０１２０】
ステップ４−１８では、出力処理部３−１３が、信号処理部３−１２からの映像情報と蓄積部３−１４からの情報とを統合するのを中止する。
【０１２１】
ステップ４−１９では、  出力処理部３−１３からの信号に従い出力部３−４０が映像を出力する。
【０１２２】
次に、例えばチャンネル１が表示されているときに、チャンネル上下ボタンを用いてチャンネルの操作を行う場合を考える。
【０１２３】
チャンネル１が表示されているときに、チャンネル上下ボタンの上ボタンが入力されると、ステップ４−１で待機、ステップ４−２で入力があったと判断され、ステップ４−３において、入力制御部３−１１で行われていた時間計測がリセット（終了、開始）される。
【０１２４】
そしてステップ４−４で入力制御部３−１１がチャンネル２の切り替え信号を出力制御部３−１５に送信し、ステップ４−５で出力制御部３−１５での時間計測リセット（終了、開始）し、ステップ４−６で出力制御部３−１５がチャンネル２の詳細情報を現在受信されている映像、つまりチャンネル１と共に表示するよう、出力処理部３−１３に詳細情報表示信号を送信する。
【０１２５】
そしてステップ４−７で出力処理部３−１３は蓄積部３−１４にチャンネル２の詳細情報を問い合わせ、信号処理部３−１２からのチャンネル１の映像と統合し、ステップ４−８で出力処理部３−１３は出力部３−４０に出力する。このとき、出力部３−４０に出力されているのは、チャンネル１の映像とチャンネル２の詳細情報である。
【０１２６】
ここでさらに上ボタンが入力されてから２秒経ったときに更に上ボタンが入力されたとする。ステップ４−９で入力制御部３−１１が、信号の入力のないまま０．７秒が経過したと判断し、「０．７秒経過」としてステップ４−１に戻る。ここでさらに上ボタンの入力があると、ステップ４−２で入力ありとしてステップ４−３に進み、入力制御部３−１１での時間の計測が終了し、新たに開始される。
【０１２７】
そしてステップ４−４からステップ４−７まで前記同様の処理が行われ、ステップ４−８で出力される。ここで出力されるのは、チャンネル１の映像とチャンネル３の詳細情報である。
【０１２８】
ここで更に、０．５秒でチャンネル上ボタンが入力された場合、ステップ４−２で入力された信号と異なる信号、同じ信号、０．７秒の経過の中で、最も早く同一信号の入力が起こったとして、ステップ４−１０に進む。
【０１２９】
ステップ４−１０では入力制御部３−１１が受信部３−３０と出力制御部３−１５に、チャンネル３の二重切り替え信号を送信し、ステップ４−１１で受信部３−３０がチャンネル３を受信し、信号処理部３−１２で処理される。
【０１３０】
ステップ４−１２で出力制御部３−１５は入力制御部３−１１からの新たな入力に伴い時間の計測をリセット（終了、開始）し、ステップ４−１３で出力処理部３−１３にチャンネル３のチャンネル情報を、現在受信されている映像、つまりチャンネル３の映像と共に出力するようチャンネル情報表示信号を送信する。
【０１３１】
そしてステップ４−１４で出力処理部３−１３は出力制御部３−１５からの信号に従い、チャンネル３のチャンネル情報を蓄積部３−１４に問い合わせ、チャンネル３の映像と統合し、ステップ４−１５でチャンネル３の映像、チャンネル３のチャンネル情報を出力する。
【０１３２】
出力すると、新たな信号の入力か、５秒の経過が生じるまで、ステップ４−１６をループする。ここで新たな信号の入力がなかった場合、ステップ４−１６で出力制御部３−１５が入力制御部３−１１からの最後の信号から５秒が経過したとしてステップ４−１７に進み、チャンネル３のチャンネル情報の表示をやめ、チャンネル３の映像のみを表示するよう、出力処理部３−１３に情報非表示信号を送信する。そしてステップ４−１８で出力処理部３−１３がチャンネル情報の統合を中止し、ステップ４−１９で、チャンネル３の映像のみを出力する。
【０１３３】
また、出力制御部３−１５の時間計測が開始してから５秒が経過した場合、ステップ４−１６で５秒経過としてステップ４−１７に進み、出力制御部３−１５が出力処理部３−１３に、現在表示しているチャンネル３のチャンネル情報の表示をやめ、チャンネル３の映像のみ表示するよう、情報非表示信号を送信する。そしてステップ４−１８では出力処理部３−１３が統合を中止し、ステップ４−１９でチャンネル３の映像のみが出力される。
【０１３４】
また、本実施形態の情報表示システムにおける各手段の一部もしくは全部の機能をコンピュータのプログラムで構成し、そのプログラムをコンピュータを用いて実行して本発明を実現することができること、本実施形態の情報表示方法における手順をコンピュータのプログラムで構成し、そのプログラムをコンピュータに実行させることができることは言うまでもなく、コンピュータでその機能を実現するためのプログラムを、そのコンピュータが読み取り可能な記録媒体、例えばＦＤ（Ｆｌｏｐｐｙ（登録商標）  Ｄｉｓｋ）や、ＭＯ（Ｍａｇｎｅｔｏ−Ｏｐｔｉｃａｌ  ｄｉｓｋ）、ＲＯＭ（Ｒｅａｄ  Ｏｎｌｙ  Ｍｅｍｏｒｙ）、メモリカード、ＣＤ（Ｃｏｍｐａｃｔ  Ｄｉｓｋ）−ＲＯＭ、ＤＶＤ（Ｄｉｇｉｔａｌ  Ｖｅｒｓａｔｉｌｅ  Ｄｉｓｋ）−ＲＯＭ、ＣＤ−Ｒ、ＣＤ−ＲＷ、ＨＤＤ、リムーバブルディスクなどに記録して、保存したり、配布したりすることが可能である。また、上記のプログラムをインターネットや電子メールなど、ネットワークを通して提供することも可能である。
【符号の説明】
【０１３５】
１−１０，３−１０…情報表示システム
１−１１，３−１１…入力制御部
１−１２，３−１２…信号処理部
１−１３，３−１３…出力処理部
１−１４，３−１４…蓄積部
１−１５，３−１５…出力制御部
１−２０，３−２０…入力部
１−３０，３−３０…受信部
１−４０，３−４０…出力部
【図１】
2010258573.tif 000003
【図２】
2010258573.tif 000004
【図３】
2010258573.tif 000005
【図４】
2010258573.tif 000006
【図６】
2010258573.tif 000007
【図７】
2010258573.tif 000008
【図８】
2010258573.tif 000009
【図５】
2010258573.tif 000010